(57)【要約】【課題】簡易な構成でありながら、ユーザの摘み部に対する回転操作を検出することができる入力装置および入力装置の制御方法を提供することを目的とする。【解決手段】実施形態の一態様に係る入力装置においては、摘み部と、回転操作検出部とを備える。摘み部は、パネルに固定され、突起状とされる。回転操作検出部は、摘み部および摘み部付近の少なくともいずれかに設けられ、ユーザの摘み部に対する接触による回転操作を検出する。【選択図】図１
2020013329.tif 000002
【特許請求の範囲】
【請求項１】
パネルに固定される突起状の摘み部と、
前記摘み部および前記摘み部付近の少なくともいずれかに設けられ、ユーザの前記摘み部に対する接触による回転操作を検出する回転操作検出部と
を備えることを特徴とする入力装置。
【請求項２】
前記摘み部は、
前記パネルと一体成型されることで、前記パネルに固定されること
を特徴とする請求項１に記載の入力装置。
【請求項３】
前記摘み部の内部に配置される発光部
を備えることを特徴とする請求項１または２に記載の入力装置。
【請求項４】
前記回転操作検出部によって検出されるユーザの回転操作に応じて、前記発光部の発光状態を制御する光制御部
を備えることを特徴とする請求項３に記載の入力装置。
【請求項５】
接続された機器から出力される出力信号を取得する取得部
を備え、
前記光制御部は、
前記取得部によって取得される出力信号に応じて、前記発光部の発光状態を制御すること
を特徴とする請求項４に記載の入力装置。
【請求項６】
前記発光部は、
チューブライトを含むこと
を特徴とする請求項３〜５のいずれか一つに記載の入力装置。
【請求項７】
前記摘み部の先端部に設けられ、ユーザの前記摘み部の前記先端部に対する接触による押圧操作を検出する押圧操作検出部
を備えることを特徴とする請求項１〜６のいずれか一つに記載の入力装置。
【請求項８】
パネルに固定される突起状の摘み部に対する、ユーザの接触による回転操作を検出する工程
を含むことを特徴とする入力装置の制御方法。
【発明の詳細な説明】
【技術分野】
【０００１】
本発明は、入力装置および入力装置の制御方法に関する。
【背景技術】
【０００２】
従来、例えば、オーディオ装置などの各種装置に対する、ユーザの入力操作を受け付ける入力装置が提案されている（例えば、特許文献１参照）。従来技術に係る入力装置にあっては、摘み部がパネルに回転可能に取り付けられ、ユーザによる摘み部の回転操作を、摘み部に内蔵されたロータリエンコーダで検出するようにしている。
【先行技術文献】
【特許文献】
【０００３】
【特許文献１】特開２０１７−１３４８９９号公報
【発明の概要】
【発明が解決しようとする課題】
【０００４】
しかしながら、従来技術にあっては、例えば、摘み部をパネルに回転可能に取り付ける回転機構などを要するため、入力装置の構成が複雑化するおそれがあった。
【０００５】
本発明は、上記に鑑みてなされたものであって、簡易な構成でありながら、ユーザの摘み部に対する回転操作を検出することができる入力装置および入力装置の制御方法を提供することを目的とする。
【課題を解決するための手段】
【０００６】
上記課題を解決し、目的を達成するために、本発明は、入力装置において、摘み部と、回転操作検出部とを備える。摘み部は、パネルに固定され、突起状とされる。回転操作検出部は、前記摘み部および前記摘み部付近の少なくともいずれかに設けられ、ユーザの前記摘み部に対する接触による回転操作を検出する。
【発明の効果】
【０００７】
本発明によれば、簡易な構成でありながら、ユーザの摘み部に対する回転操作を検出することができる。
【図面の簡単な説明】
【０００８】
【図１】図１は、第１の実施形態に係る入力装置の概要を示す図である。
【図２】図２は、入力装置を含む表示システムの構成例を示すブロック図である。
【図３】図３は、摘み部付近の拡大図である。
【図４】図４は、図３のIV−IV線断面図である。
【図５】図５は、入力装置の制御装置が実行する処理手順を示すフローチャートである。
【図６】図６は、第２の実施形態に係る摘み部の断面図である。
【図７】図７は、第２の実施形態に係る入力装置を含む表示システムの構成例を示すブロック図である。
【図８】図８は、発光状態制御情報の一例を示す図である。
【図９】図９は、第２の実施形態に係る入力装置が実行する処理手順を示すフローチャートである。
【発明を実施するための形態】
【０００９】
以下、添付図面を参照して、本願の開示する入力装置および入力装置の制御方法の実施形態を詳細に説明する。なお、以下に示す実施形態によりこの発明が限定されるものではない。
【００１０】
（第１の実施形態）
＜１．入力装置の概要＞
以下では先ず、第１の実施形態に係る入力装置の概要について図１を参照して説明する。図１は、第１の実施形態に係る入力装置の概要を示す図である。なお、図１の上段の図は、車両１の車室２内から車両前方を見たときの図である。また、図１および後述する図３，４，６に示す図は、いずれも模式図である。
【００１１】
図１の上段に示すように、本実施形態に係る入力装置１０は、例えば、車両１に搭載される。入力装置１０は、例えば、車両１に搭載されるオーディオ装置２１やナビゲーション装置２２に対する、ユーザＵの入力操作を受け付ける。
【００１２】
なお、オーディオ装置２１やナビゲーション装置２２、入力装置１０は、例えば、車室２の前方のインストルメントパネル３（以下、「インパネ３」と記載する場合がある）に設けられる。なお、インパネ３は、パネルの一例である。
【００１３】
なお、入力装置１０等は、例えばインパネ３において運転席と助手席との間の位置に配置されるが、入力装置１０等の位置は、これに限られず、車両１の種類などに応じて適宜変更可能である。
【００１４】
図１の下段図は、入力装置１０付近を拡大して示す拡大図である。図１の下段図に示すように、入力装置１０は、摘み部３０と、検出センサ３１とを備える。
【００１５】
摘み部３０は、インパネ３に固定される。詳しくは、摘み部３０は、インパネ３に対して回転しないように固定される。なお、摘み部３０の具体的な構成については、図３および図４を参照して後述する。
【００１６】
検出センサ３１は、ユーザＵの接触による回転操作を検出するセンサである。例えば、検出センサ３１としては、静電容量の変化によってユーザＵの接触による回転操作を検出する、静電容量式センサを用いることができるが、これに限定されるものではない。なお、検出センサ３１は、回転操作検出部の一例である。
【００１７】
検出センサ３１は、摘み部３０に設けられる。例えば、検出センサ３１は、摘み部３０の内部に設けられる。そして、検出センサ３１は、図１に示すように、ユーザＵの摘み部３０に対する接触による回転操作を検出する。
【００１８】
このように、本実施形態に係る入力装置１０にあっては、インパネ３に固定される摘み部３０に、ユーザＵの接触を検出可能な検出センサ３１を設けるようにした。これにより、本実施形態にあっては、例えば従来技術のような、摘み部３０をインパネ３に回転可能に取り付ける回転機構などを用いることがなく、簡易な構成でありながら、ユーザＵの摘み部３０に対する回転操作を検出することができる。
【００１９】
＜２．入力装置を含む表示システムの構成＞
次に、入力装置１０を含む表示システム１００について図２を用いて説明する。図２は、本実施形態に係る入力装置１０を含む表示システム１００の構成例を示すブロック図である。なお、図２などのブロック図では、本実施形態の特徴を説明するために必要な構成要素のみを機能ブロックで表しており、一般的な構成要素についての記載を省略している。
【００２０】
換言すれば、図２などのブロック図に図示される各構成要素は機能概念的なものであり、必ずしも物理的に図示の如く構成されていることを要しない。例えば、各機能ブロックの分散・統合の具体的形態は図示のものに限られず、その全部または一部を、各種の負荷や使用状況などに応じて、任意の単位で機能的または物理的に分散・統合して構成することが可能である。
【００２１】
図２に示すように、表示システム１００は、入力装置１０と、オーディオ装置２１と、ナビゲーション装置２２とを備える。オーディオ装置２１は、例えば、ラジオ放送やテレビ放送の出力や、ＣＤ（Compact  Disc）、ＤＶＤ（Digital  Versatile  Disc）等の再生機能を備えた機器である。
【００２２】
ナビゲーション装置２２は、例えば、ナビゲーションを行うためのルート案内などの情報をディスプレイに表示したり、音声通知したりする機器である。なお、上記したオーディオ装置２１およびナビゲーション装置２２に対するユーザの入力操作は、入力装置１０を介して行われるものとする。
【００２３】
入力装置１０は、上記した検出センサ３１と、制御装置４０とを備える。ここで、検出センサ３１について図３および図４を参照して説明する。図３は、摘み部３０付近の拡大図であり、図４は、図３のIV−IV線断面図である。
【００２４】
図３および図４に示すように、検出センサ３１は、摘み部３０に設けられる。かかる摘み部３０は、図４に示すように、例えば、突起状に形成される。詳しくは、摘み部３０は、例えば、内部が中空の円筒状に形成される。
【００２５】
摘み部３０は、上記したように、インパネ３に固定される。具体的には、摘み部３０は、インパネ３と一体成型されることで、インパネ３に固定される。これにより、本実施形態にあっては、摘み部３０をインパネ３に簡易な構成で固定することができる。
【００２６】
なお、上記では、摘み部３０は、インパネ３と一体成型されるようにしたが、これに限定されるものではなく、例えば、インパネ３と接着や溶着されることで、固定されてもよい。
【００２７】
検出センサ３１は、中空に形成される摘み部３０の内部空間に設けられる。例えば、検出センサ３１は、摘み部３０の側壁３０ａに周方向に沿って設けられる。
【００２８】
なお、摘み部３０において検出センサ３１が設けられる位置は、上記に限定されるものではなく、任意に変更することができる。また、検出センサ３１は、必ずしも摘み部３０に設けられることを要さず、例えば、摘み部３０付近など、ユーザが摘み部３０を回転操作するときに接触する位置であれば、どのような位置に設けられてもよい。なお、図４では、一例として、摘み部３０付近に設けられた検出センサを二点鎖線で示し、符号１３１を付している。
【００２９】
上記のように構成された検出センサ３１は、ユーザの摘み部３０に対する接触による回転操作を検出し、検出されたユーザの回転操作に応じた信号を制御装置４０（図２参照）へ出力する。
【００３０】
図２の説明に戻ると、制御装置４０は、制御部５０と、記憶部６０とを備える。制御部５０は、操作受付部５１と、装置制御部５２とを備える。また、制御部５０は、例えば、ＣＰＵ（Central  Processing  Unit）、ＲＯＭ（Read  Only  Memory）、ＲＡＭ（Random  Access  Memory）、ＨＤＤ（Hard  Disk  Drive）、入出力ポートなどを有するコンピュータや各種の回路を含む。
【００３１】
コンピュータのＣＰＵは、例えば、ＲＯＭに記憶されたプログラムを読み出して実行することによって、制御部５０の操作受付部５１および装置制御部５２として機能する。
【００３２】
制御部５０の操作受付部５１および装置制御部５２の少なくともいずれか一つまたは全部をＡＳＩＣ（Application  Specific  Integrated  Circuit）やＦＰＧＡ（Field  Programmable  Gate  Array）等のハードウェアで構成することもできる。
【００３３】
また、記憶部６０は、例えば、ＲＡＭやＨＤＤに対応する。ＲＡＭやＨＤＤは、装置制御情報６１や各種プログラムを記憶することができる。なお、入力装置１０は、有線や無線のネットワークで接続された他のコンピュータや可搬型記録媒体を介して上記したプログラムや各種情報を取得することとしてもよい。
【００３４】
記憶部６０に記憶される装置制御情報６１には、例えば、ユーザの摘み部３０への接触による回転操作に関するデータと関連付けられた、オーディオ装置２１やナビゲーション装置２２などの制御データが含まれるが、これに限られない。
【００３５】
制御部５０の操作受付部５１は、ユーザによる入力操作を受け付ける。例えば、操作受付部５１は、検出センサ３１から出力される信号に基づいて、ユーザの摘み部３０に対する回転操作を受け付ける。
【００３６】
そして、操作受付部５１は、検出センサ３１からの信号に基づいて回転操作を受け付けた場合、回転操作を受け付けたことを示す情報を装置制御部５２へ出力する。
【００３７】
装置制御部５２は、ユーザの回転操作を受け付けたことを示す情報が入力されると、記憶部６０にアクセスして、装置制御情報６１を読み出し、受け付けた回転操作に応じて、オーディオ装置２１やナビゲーション装置２２などを制御する。
【００３８】
例えば、装置制御部５２は、受け付けたユーザの回転操作がオーディオ装置２１の音量を調整する入力操作である場合、回転操作に応じてオーディオ装置２１を制御して音量を調整することができる。
【００３９】
＜３．第１の実施形態に係る入力装置の制御処理＞
次に、入力装置１０における具体的な処理手順について図５を用いて説明する。図５は、入力装置１０の制御装置４０が実行する処理手順を示すフローチャートである。
【００４０】
図５に示すように、制御装置４０の制御部５０は、検出センサ３１によってユーザの摘み部３０に対する接触による回転操作が検出されたか否かを判定する（ステップＳ１０）。制御部５０は、回転操作が検出されていないと判定される場合（ステップＳ１０，Ｎｏ）、以降の処理をスキップする。
【００４１】
他方、制御部５０は、回転操作が検出されたと判定される場合（ステップＳ１０，Ｙｅｓ）、ユーザの摘み部３０に対する回転操作に応じて各種装置（例えばオーディオ装置２１やナビゲーション装置２２）を制御する（ステップＳ１１）。
【００４２】
上述してきたように、第１の実施形態に係る入力装置１０は、摘み部３０と、検出センサ３１（回転操作検出部の一例）とを備える。摘み部３０は、インパネ３（パネルの一例）に固定され、突起状とされる。検出センサ３１は、摘み部３０および摘み部３０付近の少なくともいずれかに設けられ、ユーザの摘み部３０に対する接触による回転操作を検出する。これにより、簡易な構成でありながら、ユーザの摘み部３０に対する回転操作を検出することができる。
【００４３】
なお、上記した入力装置１０では、ユーザの摘み部３０に対する接触による回転操作を検出するようにしたが、これに限定されるものではない。すなわち、例えば、入力装置１０において、ユーザの摘み部３０に対する接触による押圧操作を検出するようにしてもよい。
【００４４】
具体的には、図４に一点鎖線で示すように、検出センサ２３１が摘み部３０の先端部３０ｂに設けられる。検出センサ２３１は、例えば、上記した回転操作を検出する検出センサ３１と同様の静電容量式センサを用いることができるが、これに限定されるものではない。なお、以下では、検出センサ３１と区別するため、検出センサ２３１を「先端部検出センサ２３１」と記載する場合がある。
【００４５】
先端部検出センサ２３１は、摘み部３０の先端部３０ｂに対するユーザの接触を検出することで、ユーザの押圧操作を検出する。詳しくは、例えば、摘み部３０の先端部３０ｂにおいて接触が検出される場合、ユーザは摘み部３０の先端部３０ｂを押すような操作（すなわち押圧操作）を行っていると推定することができる。
【００４６】
そこで、本実施形態にあっては、摘み部３０の先端部３０ｂに先端部検出センサ２３１を設けることで、かかる押圧操作を検出するようにした。そして、先端部検出センサ２３１は、ユーザの摘み部３０に対する接触による押圧操作を検出すると、検出された押圧操作に応じた信号を制御装置４０へ出力する。
【００４７】
制御装置４０の装置制御部５２は、先端部検出センサ２３１によって押圧操作が検出されると、例えば、オーディオ装置２１の電源をオンまたはオフするなど、回転操作が検出されたときとは異なる制御を行うようにしてもよい。
【００４８】
このように、入力装置１０にあっては、先端部検出センサ２３１を設けることで、ユーザの摘み部３０に対する接触による押圧操作を検出することが可能となる。なお、先端部検出センサ２３１は、押圧操作検出部の一例である。
【００４９】
（第２の実施形態）
＜４．第２の実施形態に係る入力装置の構成＞
次いで、第２の実施形態に係る入力装置１０の構成について図６以降を参照しつつ説明する。なお、以下においては、第１の実施形態と共通の構成については、同一の符号を付して説明を省略する。
【００５０】
図６は、第２の実施形態に係る摘み部３０の断面図である。図６に示すように、第２の実施形態に係る入力装置１０は、発光部７０を備える。例えば、発光部７０は、摘み部３０の内部に配置される。なお、第２の実施形態において、摘み部３０は、例えば光透過性の材料で形成されるものとする。
【００５１】
このように、第２の実施形態にあっては、発光部７０が摘み部３０に配置されることで、摘み部３０を光らせることが可能となり、摘み部３０の意匠性を向上させることができる。
【００５２】
発光部７０としては、例えばチューブライトを用いることができる。チューブライトは、内部にＬＥＤなどの発光体を有する管状のライトである。このように、発光部７０としてチューブライトを用いることから、発光部７０の任意の形状にし易くなり、よって発光部７０の設計自由度を向上させることができる。例えば、発光部７０は、摘み部３０の内部にらせん状に配置されるが、これに限定されるものではない。
【００５３】
なお、発光部７０は、チューブライトに限られず、環状のライトを積層させるなどその他の種類のライトであってもよい。
【００５４】
＜５．第２の実施形態に係る入力装置を含む表示システムの構成＞
次に、第２の実施形態に係る入力装置１０を含む表示システム１００について図７を用いて説明する。図７は、第２の実施形態に係る入力装置１０を含む表示システム１００の構成例を示すブロック図である。
【００５５】
図７に示すように、第２の実施形態に係る入力装置１０にあっては、上記した発光部７０を備えるとともに、接続機器８０が通信可能に接続されるようにしてもよい。接続機器８０は、例えばスマートフォンやタブレット端末などの端末装置である。かかる接続機器８０は、例えば、電話の着信通知や電子メールの受信通知など、ユーザに対して通知する情報を示す出力信号を、制御装置４０へ出力する。なお、入力装置１０と接続機器８０との接続は、有線であっても無線であってもよい。
【００５６】
制御部５０は、取得部５３と、光制御部５４とを備える。また、記憶部６０には、発光状態制御情報６２が記憶される。図８は、発光状態制御情報６２の一例を示す図である。
【００５７】
図８に示すように、発光状態制御情報６２は、「操作内容／取得情報内容」と「発光状態種別」とを関連付けた情報である。
【００５８】
具体的には、「操作内容／取得情報内容」が、例えば摘み部３０の回転操作による「音量アップ」である場合には、「発光状態種別」において発光パターン１を示す情報が関連付けられる。同様に、「操作内容／取得情報内容」が、例えば摘み部３０の回転操作による「音量ダウン」、「ラジオ周波数アップ」、「ラジオ周波数ダウン」である場合には、「発光状態種別」において発光パターン２、３、４を示す情報が関連付けられる。
【００５９】
また、「操作内容／取得情報内容」が、例えば接続機器８０から取得した情報が「電話の着信通知」である場合には、「発光状態種別」において発光パターン５を示す情報が関連付けられる。
【００６０】
また、発光パターン１〜５においては、例えば、互いに異なる発光状態のパターンである。例えば、「発光パターン１」は、発光部７０の輝度を上昇させるパターンである。また、「発光パターン３」は、発光部７０を光が回転するように発光させるパターンである。なお、上記した発光パターンは、あくまでも例示であって限定されるものではない。
【００６１】
図７の説明に戻ると、取得部５３は、接続機器８０から出力される出力信号を取得する。そして、取得部５３は、出力信号を取得したことを示す情報を光制御部５４へ出力する。なお、操作受付部５１は、検出センサ３１からの信号に基づいて摘み部３０の回転操作を受け付けた場合、回転操作を受け付けたことを示す情報を光制御部５４へ出力する。
【００６２】
光制御部５４は、回転操作を受け付けたことを示す情報が入力された場合、記憶部６０にアクセスして、発光状態制御情報６２を読み出し、受け付けた回転操作に応じて、発光部７０の発光状態を制御する。
【００６３】
これにより、例えば、ユーザは、入力装置１０が回転操作を受け付けたことを、ディスプレイなどを見ることなく、認識することができる。
【００６４】
また、光制御部５４は、取得部５３によって出力信号が取得された場合、記憶部６０にアクセスして、発光状態制御情報６２を読み出し、取得される出力信号に応じて、発光部７０の発光状態を制御する。
【００６５】
これにより、ユーザは、例えば、接続機器８０に電話の着信があることを、接続機器８０を見ることなく、認識することができる。
【００６６】
＜６．第２の実施形態に係る入力装置の制御処理＞
次に、第２の実施形態に係る入力装置１０における具体的な処理手順について図９を用いて説明する。図９は、第２の実施形態に係る入力装置１０が実行する処理手順を示すフローチャートである。
【００６７】
図９に示すように、入力装置１０の制御部５０は、ステップＳ１０，Ｓ１１の処理後、回転操作に応じて、発光部７０の発光状態を制御する（ステップＳ１２）。
【００６８】
次いで、制御部５０は、接続機器８０から出力信号を取得したか否かを判定する（ステップＳ１３）。制御部５０は、出力信号を取得していないと判定された場合（ステップＳ１３，Ｎｏ）、以降の処理をスキップする。
【００６９】
一方、制御部５０は、出力信号を取得したと判定された場合（ステップＳ１３，Ｙｅｓ）、取得された出力信号に応じて発光部７０の発光状態を制御する（ステップＳ１４）。
【００７０】
なお、上記では、実施形態に係る入力装置１０が、車両１に搭載されるオーディオ装置２１などに適用される場合を例にとって説明したが、これに限定されるものではなく、例えばテレビ、カメラ、パーソナルコンピュータなどの家電機器を含むその他の機器に適用されてもよい。
【００７１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７２】
３  インパネ
１０  入力装置
３０  摘み部
３１  検出センサ
５４  光制御部
５３  取得部
７０  発光部
２３１  先端部検出センサ
【図１】
2020013329.tif 000003
【図２】
2020013329.tif 000004
【図３】
2020013329.tif 000005
【図４】
2020013329.tif 000006
【図５】
2020013329.tif 000007
【図６】
2020013329.tif 000008
【図７】
2020013329.tif 000009
【図８】
2020013329.tif 000010
【図９】
2020013329.tif 000011